(57)【要約】【課題】衛生的で、取り扱いが簡単で、様々な形状や大きさの容器に対応し、更に、種々の液体にも対応できる液だれ防止具を提供すること。【解決手段】液体の入った容器の外周を包囲するように装着される液だれ防止具であって、帯状のシートである外壁部１２と、前記外壁部１２の一方の面上に積層され少なくとも前記外壁部１２の長さより短くかつ該外壁部１２の上縁１２ａより低い位置に上縁１３ａを有する吸水部１３と、前記吸水部１３における前記外壁部１２に対し反対側の面上に積層され前記容器の外周に着脱自在に接着する接着部２２とを有している。【選択図】図１
0003133850.tif 000002
【実用新案登録請求の範囲】
【請求項１】
液体の入った容器の外周を包囲するように装着される液だれ防止具であって、
帯状のシートである外壁部と、前記外壁部の一方の面上に積層され少なくとも前記外壁部の長さより短くかつ該外壁部の上縁より低い位置に上縁を有する吸水部と、前記吸水部における前記外壁部に対し反対側の面上に積層され前記容器の外周に着脱自在に接着する接着部とを有することを特徴とする液だれ防止具。
【請求項２】
前記吸水部は、その両端に吸水部上縁に対して吸水部の長さ方向において角度をなす第１のテーパーを有することを特徴とする、請求項１に記載の液だれ防止具。
【請求項３】
前記外壁部は、前記容器の外周を包囲するように装着する為の留め部を有していることを特徴とする請求項１又は２に記載の液だれ防止具。
【請求項４】
前記外壁部は、該外壁部の一端より延びる把手部を有することを特徴とする、請求項１乃至３のいずれか一に記載の液だれ防止具。
【請求項５】
前記外壁部と前記吸水部を分離可能としたことを特徴とする請求項１乃至４のいずれか一に記載の液だれ防止具。
【請求項６】
前記吸水部が一方の面上に吸水部下縁に対して吸水部の厚さ方向において角度をなす第２のテーパーを有することを特徴とする請求項１又は３に記載の液だれ防止具。
【考案の詳細な説明】
【技術分野】
【０００１】
本考案は、液体の入った瓶又はその他の容器において、帯状のシート部材を容器の外周を包囲するように装着し、内容物である液体を注ぎ出す際に生じる液だれを防止するための液だれ防止具に関するものである。
【背景技術】
【０００２】
従来より、ワインや油、醤油、ドレッシングなどの液体を収容する容器から内容物である液体を注ぎ出す際に生じる液だれを防止する部材として、金属製又はプラスチック製等で、容器の注ぎ口に直接差し込んだり、嵌め込んで固定するものが知られている。
【０００３】
一方で、特許文献１では、容器の外面に吸水性の良い吸収材をリング状に加工し直接嵌め込むものと、リボン状に加工し両面テープ等で直接容器に接着させるものが考案されている。また、特許文献２では、帯状のカバー紙に吸取紙を貼り合わせ、それを容器の外周を包囲するように装着し、カバー紙の一端に設けた接着面で固定させるものが、特許文献３では、伸縮性の編織地によって筒状に形成され、容器の注ぎ口付近の外面に鉢巻き状に装着させるものが考案されている。
【特許文献１】実開昭６２−１８５２３４号公報
【特許文献２】実開昭５１−１００２６１号公報
【特許文献３】実開平４−６５７３９号公報
【考案の開示】
【考案が解決しようとする課題】
【０００４】
しかしながら、液だれを防止する部材を直接容器の注ぎ口に差し込んだり、固定したりすることで、注ぎ出す液体は必ずこれらの部材を通過しなければならない。その為、内容物である液体に不純物が混入する恐れがあり、状態の変化に敏感で、変質しやすい液体等には特に不向きである。また、使用後、衛生面からこれらを取り外し容器とは別に保管したり、洗浄することが必須であり、機能性に欠けており面倒である。
【０００５】
直接液体に触れないようなものでも、その大半は液体吸収材をある一定の形状に加工して容器外面の注ぎ口付近に直接装着しなければならないということから、装着できる容器の形状や大きさが限定されてしまい汎用性に欠けてしまう。また、注ぎ口より流下する液体を吸水するという本来の目的を果たすことで、吸水した液体で吸収材の外観が汚れ、衛生的にも視覚的にも良いとは言い難い。更に、粘性の強い液体などは吸収材による吸水に時間を要する為、その多くは吸収材の外側を通過し、容器を伝ってテーブルやテーブルクロス等を汚してしまう恐れがある。その為、液体の有する粘性の度合いでその効果が分かれてしまう。一方で、吸収部材を交換する場合には、全てを取り除き、始めから設置し直さなければならないという問題があった。
【０００６】
本考案は、以上のような問題点に鑑みなされたもので、容器より注ぎ出す液体に直接触れることなく衛生的であり、取り扱いが簡単で、様々な形状や大きさの容器に対応し、更に、種々の液体にも対応できる液だれ防止具を提供することを目的とする。
【課題を解決するための手段】
【０００７】
上記目的を達成するために、請求項１に係る本考案は、液体の入った容器の外周を包囲するように装着される液だれ防止具であって、帯状のシートである外壁部と、前記外壁部の一方の面上に積層され少なくとも前記外壁部の長さより短くかつ該外壁部の上縁より低い位置に上縁を有する吸水部と、前記吸水部における前記外壁部に対し反対側の面上に積層され前記容器の外周に着脱自在に接着する接着部とを有することを特徴とする。
【０００８】
請求項２に係る本考案は、請求項１に記載の液だれ防止具であって、前記吸水部は、その両端に吸水部上縁に対して吸水部の長さ方向において角度をなす第１のテーパーを有することを特徴とする。
【０００９】
請求項３に係る本考案は、請求項１又は２に記載の液だれ防止具であって、前記外壁部は、前記容器の外周を包囲するように装着する為の留め部を有していることを特徴とする。
【００１０】
請求項４に係る本考案は、請求項１乃至３のいずれか一に記載の液だれ防止具であって、前記外壁部は、該外壁部の一端より延びる把手部を有することを特徴とする。
【００１１】
請求項５に係る本考案は、請求項１乃至４のいずれか一に記載の液だれ防止具であって、前記外壁部と前記吸水部を分離可能としたことを特徴とする。
【００１２】
請求項６に係る本考案は、請求項１又は３に記載の液だれ防止具であって、前記吸水部が一方の面上に吸水部下縁に対して吸水部の厚さ方向において角度をなす第２のテーパーを有することを特徴とする。
【考案の効果】
【００１３】
本考案によれば、容器より注ぎ出す液体に直接触れることなく衛生的であり、取り扱いが簡単で、様々な形状や大きさの容器に対応し、更に、様々な種類の液体にも対応できる液だれ防止具を提供することができる。
【００１４】
請求項１に係る液だれ防止具は、帯状のシートである外壁部とその一方の面上に積層された吸水部とを有し、容器の外周を包囲するように接着部で着脱自在に装着されることから、容器より注ぎ出す液体に直接触れることがなく衛生的であり、装着が簡単で、使用後、の洗浄も不要なので合理的である。
また、吸水部の上縁を外壁部の上縁より低い位置に有しているので、容器に装着した際、外壁部と容器の間に隙間ができ、そこに注ぎ口より流下した液体を導いてから吸水部で吸水するという手順を経るため、粘性の強い液体でも逃さず液だれを防止することが可能である。
【００１５】
請求項２では、吸水部の両端に吸水部上縁に対して吸水部の長さ方向において角度をなす第１のテーパーを有していることから、容器装着の際に生じる吸水部同士の重なりを防ぐ効果がある。これにより、装着される容器に合わせてあらかじめ部材の成形をしなくとも様々な形状や大きさの容器に対し適応させることが可能である。
また、吸水部の重なりによる凸凹が外側に生じないので、利用者に外観上すっきりした印象を与えることが可能である。
【００１６】
請求項３では、外壁部は容器の外周を包囲するように装着する為の留め部を有していることから、装着可能な容器の大きさに余裕を持たせている。
【００１７】
請求項４では、外壁部の一端より延びる把手部を有していることから、これを摘んで外側へ引張ることで、簡単に取り外すことが可能である。
【００１８】
請求項５では、前記外壁部と前記吸水部を分離可能としていることから、容器に吸水部を接着したまま外壁部のみを取り外すことが可能である。
【００１９】
請求項６では、  前記吸水部が一方の面上に吸水部下縁に対して吸水部の厚さ方向において角度をなす第２のテーパーを有することから、円錐形の容器に対して装着が可能である。
【考案を実施するための最良の形態】
【００２０】
以下、本考案に係る液だれ防止具を実施するための最良の形態を図面を参照して具体的に説明する。
図１、図２及び図３は、本考案における実施形態の構成を説明する図である。図１は裏面展開図を、図２は表面展開図を、図３は図１のＡ−Ａ’断面展開図をそれぞれ示している。
図１及び図３において、外壁部１２は帯状のシートで、この一端より延びる把手部１１を有しており、少なくとも容器注ぎ口付近の外周に巻き付け可能な長さと幅を有している。外壁部１２の容器側となる外壁部裏面１２ｃの面上には、吸水性を有する吸水部１３が積層され、把手部裏面１１ｃと隣接して粘着性を有する留め部２１が積層されている。
【００２１】
吸水部１３は、外壁部１２の長さよりも短く、かつ、外壁部上縁１２ａより低い位置に上縁を有しており、外壁部下縁１２ｂに吸水部下縁１３ｂを揃えるように配置される。吸水部１３の容器側となる吸水部裏面１３ｃの面上には粘着性を有する接着部２２が積層されている。吸水部１３の両端は斜辺であり、吸水部上縁１３ａに対して吸水部１３の長さ方向において角度をなす第１のテーパー１４を有している。
また、吸水部上縁１３ａと第１のテーパー１４がなす鋭角を含む部分を鋭角部２３ａ、吸水部下縁１３ｂと第１のテーパー１４がなす鋭角を含む部分を鋭角部２３ｂとすると、少なくともその一方は接着部２２が積層されていない。これは、吸水部１３を容器から取り外す際、鋭角２３ａ又は２３ｂを把手部として利用することで、容器との分離を容易とするためである。
【００２２】
留め部２１は、矩形状で把手部裏面１１ｃに隣接し、吸水部下縁１３ｂに留め部下縁２１ｂを揃えるように配置される。また、留め部上縁２１ａは外壁部上縁１２ａより低い位置にある。更に、留め部下縁２１ｂの長さをＸ１とし、第１のテーパー１４の長さをＸ２とすると、Ｘ１はＸ２より長く設定される。これは、容器に装着した際、Ｘ１よりＸ２の方が短いと、外壁部１２で包囲することができる容器の外周も短くなり、装着可能な容器の大きさが限られてしまうためである。Ｘ１をＸ２より長く設定することで、装着可能な容器の大きさに余裕を持たせることができ、様々な大きさの容器への対応が可能となる。
【００２３】
ここで、外壁部１２には、非吸水材である塩化ビニルやプラスチック等の合成樹脂材を、吸水部１３には高吸水性樹脂を塗布した不織布や発泡吸水シート等の吸水シートを用いるのが好適であるが、この限りではない。
但し、外壁部１２に非吸水材を、吸水部１３に吸水材を用いて各々の素材を分けることで、吸水部１３で吸水された液体（水以外の液体も含む）が外壁部１２に染み出ることを防止することが可能である。
また、留め部２１と接着部２２には粘着性を有する接着剤を塗布するか、両面接着テープ等を使用するのが好適であるが、この限りではない。
【００２４】
図１及び図２において、外壁部１２に第１のテーパー１４を図示しているが、これに限らない。例えば、外壁部１２のみを交換する場合には、必ずしも外壁部１２に第１のテーパー１４を設ける必要はなく、矩形状としてもよい。
【００２５】
次に本考案の実施例について、容器の装着部が円柱状の場合を第１実施例とし、円錐状の場合を第２実施例として説明する。
図４、図５及び図６は本考案における第１実施例の使用状態を説明する図である。図４は一部破断正面図を、図５は図４のＢ−Ｂ’断面図を、図６は斜視図をそれぞれ示している。また、図７及び図８は本考案における第２実施例の使用状態を説明する図であり、図７は斜視図を、図８はＣ−Ｃ’断面図を示している。
【００２６】
図４及び図５に示すように、外壁部１２と吸水部１３は一体化されており、容器３１の外周を包囲するように装着される。吸水部１３を接着部２２で容器３１に動かないように固定し、更に、外壁部表面１２ｄに留め部２１を接着する。
【００２７】
ここで、把手部１１において、把手部裏面１１ｃには粘着性を持たせていない為、外壁部表面１２ｄと重なり合った部分は開放状態である。これにより、把手部１１を指等で掴み容器３１と反対の方向へ引き上げることで、取り外すことが可能である。
【００２８】
また、別の実施例として、外壁部１２と吸水部１３を分離可能（例えば、粘着剤を介在させる）としてもよい。吸水部１３を容器３１に装着したまま外壁部１２のみを簡単に取り外すことが可能である。新たに別の外壁部１２を吸水部１３へ装着する場合には、容器３１に既に装着されている吸水部１３の上から外壁部１２を巻きつけ、留め部２１を外壁部表面１２ｄに接着させて固定することが可能である。
【００２９】
このことを利用して、例えば、外壁部１２に企業の広告や期間限定のキャッチフレーズ、レシピ等を掲載したラベルとしての活用が考えられる。掲載期間経過後、不要となった外壁部１２を剥がし、新たに別のものを装着することが可能である。従って、従来、容器のネックに単に掛けるだけのラベルでは落下の危険性があったり、シールを容器に直接貼付けてしまうと排除するのに手間が掛かるといった問題があったが、それらの問題を解消し、更に、液だれ防止機能も併せもつ多機能ラベルとしての活用が可能である。
また、外壁部１２の上縁を直線から波線に加工する等、デザインを多々制作することで、メッセージカード等として活用したり、容器のアクセサリーとして使用したりと、利用者の好みによりその用途を実用的にもファッション的にも利用することが可能である。
【００３０】
第１実施例における第１のテーパー１４の効果を示すため、図４を用いて説明する。吸水部１３の両端に第１のテーパー１４を設けることで、吸水部１３が容器の外周よりも長い場合に、重なってしまうことを避けことができる。これは、吸水部材を容器のサイズに合わせてわざわざ加工することなく、様々な大きさの容器への装着を可能とする。また、外壁部表面１２ｄに吸水部１３の重なり合いによる凸凹が生じないことから、利用者に外観上すっきりした印象を与えることが可能である。
【００３１】
図６において、容器３１の注ぎ口より流下した液体は、隙間４１によって吸水部１３へ導かれ、そこで吸水される。隙間４１は溝のようなもので、必ず流下した液体は隙間４１に流れ、吸水部上縁１３ａ上に溜められ、その後吸水される。従って、例えば粘性が高く吸水材で瞬時に吸水できないような液体であっても、隙間４１で逃すことなく捉えることが可能である。
ここで、隙間４１は、外壁部裏面１２ｃと容器３１の間に吸水部１３が有する厚みと、吸水部上縁１３ａから外壁部上縁１２ａまでの高さを有している。そのため、外壁部上縁１２ａは少し離れて容器３１を取り囲んでいることから、外壁部１２に使用する素材によっては、利用者の指等をこの上縁に触れることで傷つけてしまう恐れがあるので、あらかじめこれに滑らかな加工を施すことがある。
【００３２】
次に、図７及び図８を用いて第２実施例を説明する。本実施例と上述の第１実施例との違いは、吸水部１３は両端に第１のテーパー１４を有するのではなく、吸水部１３の一方の面上に吸水部下縁１３ｂに対して吸水部１３の厚さ方向において第２のテーパー１５を有していることにある。これにより、円錐型の容器に装着することが可能となる。
【００３３】
図７及び図８に示すように、外壁部１２と吸水部１３は一体化されており、容器３２の外面の傾斜に第２のテーパー１５を沿わせながら、外周を包囲するように装着される。そして、吸水部１３を接着部２２で容器３２に動かないように固定する。
第２のテーパー１５を設けたことで、容器３２の外面に対し外壁部１２の面が略水平となり、外観的にも良い印象を利用者に与えることが可能である。また、吸水部上縁１３ａが有する厚みが吸水部下縁１３ｂより広くなることで、外壁部上縁１２ａと容器３２の間に隙間４１を確保することが可能となる。
本実施例については、容器への装着の前にあらかじめ外壁部上縁１２ａ、外壁部下縁１２ｂ、吸水部上縁１３ａ及び吸水部下縁１３ｂに対し装着容器の外面にに沿うような成形を施すことが好適であるが、この限りではない。
【００３４】
尚、容器の注ぎ口付近より流下する滴を受け止めるには、図４、図６及び図７に示すような位置に装着するのが好適であるが、この限りではない。例えば、容器３１の下方に設置した場合には、温度差により生じた容器周りの結露による水滴を受け止めることで、これによるテーブルやテーブルクロスへの汚れを防止することも可能である。
【図面の簡単な説明】
【００３５】
【図１】本考案における実施形態の構成を説明する裏面展開図である。
【図２】本考案における実施形態の構成を説明する表面展開図である。
【図３】本考案における実施形態の構成を説明するＡ−Ａ’断面展開図である。
【図４】本考案における第１実施例の使用状態を説明する一部破断正面図である。
【図５】本考案における第１実施例の使用状態を説明するＢ−Ｂ’断面図である。
【図６】本考案における第１実施例の使用状態を説明する斜視図である。
【図７】本考案における第２実施例の使用状態を説明する斜視図である。
【図８】本考案における第２実施例の使用状態を説明するＣ−Ｃ’断面図である。
【符号の説明】
【００３６】
１１  把手部
１１ｃ  把手部裏面
１１ｄ  把手部表面
１２  外壁部
１２ａ  外壁部上縁
１２ｂ  外壁部下縁
１２ｃ  外壁部裏面
１２ｄ  外壁部表面
１３  吸水部
１３ａ  吸水部上縁
１３ｂ  吸水部下縁
１３ｃ  吸水部裏面
１３ｄ  吸水部表面
１４  第１のテーパー
１５  第２のテーパー
２１  留め部  
２１ａ  留め部上縁  
２１ｂ  留め部下縁
２２  接着部
２３ａ、２３ｂ  鋭角部
３１、３２  容器
４１  隙間
【図１】
0003133850.tif 000003
【図２】
0003133850.tif 000004
【図３】
0003133850.tif 000005
【図４】
0003133850.tif 000006
【図５】
0003133850.tif 000007
【図６】
0003133850.tif 000008
【図７】
0003133850.tif 000009
【図８】
0003133850.tif 000010